【手続補正書】
【提出日】平成19年4月26日(2007.4.26)
【手続補正１】
【補正対象書類名】明細書
【補正対象項目名】特許請求の範囲
【補正方法】変更
【補正の内容】
【特許請求の範囲】
【請求項１】（ａ）未修飾生体高分子を用意するステップ、（ｂ）フッ化アシル官能基側鎖を含む表面が少なくとも１つある固形支持体を用意するステップ、（ｃ）前記未修飾生体高分子と前記固形支持体とが結合できるのに十分な条件下で、前記生体高分子を前記固形支持体と接触させるステップを含む、未修飾生体高分子を固形支持体と結合する方法。
【請求項２】前記生体高分子は、核酸、ポリペプチド、タンパク質、糖質、脂質およびこれらの類似体からなるグループから選択される、請求項１に記載の方法。
【請求項３】前記生体高分子は、ポリヌクレオチド、プロテインＡ、抗体またはストレプトアビジンからなるグループから選択される、請求項２に記載の方法。
【請求項４】前記生体高分子は、ポリヌクレオチドである。請求項３に記載の方法。
【請求項５】前記ポリヌクレオチドは、合成オリゴヌクレオチド、増幅されたＤＮＡ、ｃＤＮＡ、１本鎖ＤＮＡ、２本鎖ＤＮＡ、ＰＮＡ、ＲＮＡまたはｍＲＮＡからなるグループから選択される、請求項４に記載の方法。
【請求項６】前記ポリヌクレオチドの長さは約３ｂｐないし１０ｋｂの範囲内にある、請求項４に記載の方法。
【請求項７】前記ポリヌクレオチドの長さは約１００ｂｐないし１．５ｋｂの範囲内にある、請求項６に記載の方法。
【請求項８】前記オリゴヌクレオチドの長さは約３ないし１００個のオリゴヌクレオチドの範囲内にある、請求項５に記載の方法。
【請求項９】前記オリゴヌクレオチドの長さは約１５ないし２０個のオリゴヌクレオチドの範囲内にある、請求項８に記載の方法。
【請求項１０】前記固形支持体は、ポリマー材料、ガラス、セラミック、天然繊維、シリコン、金属およびこれらの複合材料からなるグループから選択される、請求項１に記載の方法。
【請求項１１】前記固形支持体は、エチレンアクリル酸、エチレンメタルリル酸、カルボキシ化ＰＶＤＦ、カルボキシ化ポリプロピレンまたはカルボキシ化ポリエチレンおよびこれらのコポリマーからなるグループから選択されるポリマー材料である、請求項１に記載の方法。
【請求項１２】前記（ｂ）のステップには、さらに不活性の固形支持体を、フッ化アシル官能基側鎖を含むポリマー材料か、あるいはフッ化アシル官能基側鎖を支持することができるポリマー材料でコーティングすることを含む、請求項１に記載の方法。
【請求項１３】前記固形支持体の材料は多孔質または非孔質である、請求項１に記載の方法。
【請求項１４】前記固形支持体の形状は、糸、シート、フィルム、ゲル、膜、ビーズ、板およびこれらに類する構造である、請求項１に記載の方法。
【請求項１５】前記固形支持体は、ウェルか、槽か、台か、疎水性または親水性のパッチか、打ち抜き接着性貯留部か、その他の液体の流れの物理的な障壁かの形状をした隔離された領域を有する平らな素子の形状をしたプラスチックで作製される、請求項１に記載の方法。
【請求項１６】前記固形支持体はマイクロプレートである、請求項１５に記載の方法。
【請求項１７】前記プラスチックはフッ化アシル官能基で処理された表面を有するポリプロピレンである、請求項１５に記載の方法。
【請求項１８】前記接触のステップは、ジェットプリント法、固形素子または開放キャピラリー素子接触プリント法、マイクロフルイディックチャンネルプリント法、シルクスクリーン法および電気化学的または電磁的な力に基づく印刷素子を用いる技術からなるグループから選択される技術により実行される、請求項１に記載の方法。
【請求項１９】前記接触のステップは前記未修飾生体高分子を前記固形支持体にスポットすることにより実行される、請求項１８に記載の方法。
【請求項２０】前記条件は塩基性ｐＨ条件である、請求項１に記載の方法。
【請求項２１】前記塩基性ｐＨ条件はプリント溶液をｐＨ約８ないし１３に維持される、請求項２０に記載の方法。
【請求項２２】前記プリント溶液は塩を含む、請求項２１に記載の方法。
【請求項２３】前記塩はＬｉＣｌである、請求項２２に記載の方法。
【請求項２４】前記プリント溶液は炭酸水素ナトリウム−炭酸バッファーを含む、請求項２１に記載の方法。
【請求項２５】前記塩基性条件はｐＨ９ないし１２である、請求項２０に記載の方法。
【請求項２６】前記生体高分子はポリヌクレオチドで、該ポリヌクレオチドはｐＨ９ないし１０の条件下で前記固形支持体にスポットされる、請求項１に記載の方法。
【請求項２７】前記生体高分子はポリヌクレオチドで、該ポリヌクレオチドをｐＨ１０ないし１２の条件下でジェットプリントする、請求項１に記載の方法。
【請求項２８】サンプル中の生体高分子ターゲットを分析する方法であって、（ａ）フッ化アシル基側鎖を少なくとも１つの表面に有する材料で作製された固形支持体を用意するステップと、（ｂ）前記生体高分子ターゲットと複合体を形成でき、第２の生体高分子を含む試薬を用意するステップと、（ｃ）前記試薬および前記生体高分子ターゲットはともに未修飾で、前記試薬または前記生体高分子ターゲットのいずれかを前記固形支持体と結合できる条件下で、前記未修飾試薬または前記未修飾生体高分子ターゲットのいずれかと前記固形支持体を接触させるステップと、（ｄ）前記未修飾試薬と前記生体高分子ターゲットとが複合体を形成できる条件下で、前記未修飾試薬と結合した前記固形支持体を前記生体高分子ターゲットと接触させるステップまたは前記未修飾生体高分子と結合した固形支持体を前記試薬と接触させるステップと、（ｅ）前記サンプル中に含まれる前記生体高分子ターゲットの存在の測定値として、前記複合体の存在を検出し測定するステップとを含む、サンプル中の生体高分子ターゲットを分析する方法。
【請求項２９】前記（ｃ）のステップにおいて前記試薬は前記固形支持体の表面に結合し、前記（ｄ）のステップにおいて、前記試薬と前記生体高分子ターゲットを含まれる複合体を形成できる条件下で、前記未修飾試薬と結合した前記固形支持体は前記生体高分子ターゲットと接触する、請求項２８に記載の方法。
【請求項３０】前記（ｃ）のステップにおいて前記生体高分子ターゲットは前記固形支持体の表面に結合し、前記（ｄ）のステップにおいて、前記未修飾生体高分子ターゲットと結合した前記固形支持体は、前記試薬と前記生体高分子ターゲットを含む複合体を形成できる条件下で、前記試薬と接触する、請求項２８に記載の方法。
【請求項３１】前記生体高分子ターゲットは、核酸、ポリペプチド、タンパク質、糖質、脂質およびこれらの類似体からなるグループから選択される、請求項２８に記載の方法。
【請求項３２】前記生体高分子ターゲットは、ポリヌクレオチド、プロテインＡ、抗体またはストレプトアビジンからなるグループから選択される、請求項２８に記載の方法。
【請求項３３】前記試薬は、核酸、ポリペプチド、タンパク質、糖質、脂質およびこれらの類似体からなるグループから選択される生体高分子を含む、請求項２８に記載の方法。
【請求項３４】前記試薬は、ポリヌクレオチド、プロテインＡ、抗体またはストレプトアビジンからなるグループから選択される生体高分子を含む、請求項２８に記載の方法。
【請求項３５】前記生体高分子ターゲットはポリヌクレオチドで、前記試薬は該ポリヌクレオチドに相補的なポリヌクレオチドプローブを含む、請求項２８に記載の方法。
【請求項３６】前記複合体は前記ポリヌクレオチドと前記ポリヌクレオチドプローブを含み、前記複合体は前記ポリヌクレオチドプローブと前記ポリヌクレオチドとのハイブリダイゼーションにより形成される、請求項３５に記載の方法。
【請求項３７】前記生体高分子はタンパク質で、前記試薬は該蛋白質を認識する抗体を含む、請求項２８に記載の方法。
【請求項３８】前記複合体は前記タンパク質と該タンパク質に対する抗体を含み、前記複合体は前記抗体の前記タンパク質への結合により形成される、請求項３７に記載の方法。
【請求項３９】前記生体高分子はリガンドで、前記試薬は該リガンドと結合できるレセプターを含む、請求項２８に記載の方法。
【請求項４０】前記生体高分子はレセプターで、前記試薬は該レセプターと結合できるリガンドを含む、請求項２８に記載の方法。
【請求項４１】前記複合体は前記リガンドと前記タンパク質を含み、前記複合体は前記リガンドと前記レセプターとの結合により形成される、請求項３９または４０に記載の方法。
【請求項４２】前記（ｃ）のステップにおいて、前記試薬または前記生体高分子ターゲットは前記固形支持体の表面に共有結合により結合する、請求項２８に記載の方法。
【請求項４３】前記複合体はさらに色素、化学発光化合物、酵素、蛍光化合物、金属複合体、磁性粒子、ビオチン、ハプテン、電波発信器および放射発光化合物からなるグループから選択されるレポーター分子を含む、請求項２８に記載の方法。
【請求項４４】前記固形支持体は、ポリマー材料、ガラス、セラミック、天然繊維、シリコン、金属およびこれらの複合材料からなるグループから選択される、請求項２８に記載の方法。
【請求項４５】前記固形支持体は、エチレンアクリル酸、エチレンメタルリル酸、カルボキシ化ＰＶＤＦ、カルボキシ化ポリプロピレンまたはカルボキシ化ポリエチレンおよびこれらのコポリマーからなるグループから選択されるポリマー材料である、請求項２８に記載の方法。
【請求項４６】前記（ａ）のステップには、さらに不活性の固形支持体を、フッ化アシル官能基側鎖を含むポリマー材料か、あるいはフッ化アシル官能基側鎖を支持することができるポリマー材料かでコーティングすることを含む、請求項２８に記載の方法。
【請求項４７】前記固形支持体の形状は、糸、シート、フィルム、ゲル、膜、ビーズ、板およびこれらに類する構造である、請求項２８に記載の方法。
【請求項４８】前記固形支持体は、ウェルか、槽か、台か、疎水性または親水性のパッチか、打ち抜き接着性貯留部か、その他の液体の流れの物理的な障壁かの形状をした隔離された領域を有する平らな素子の形状をしたプラスチックで作製される、請求項２８に記載の方法。
【請求項４９】前記固形支持体はマイクロプレートである、請求項４８に記載の方法。
【請求項５０】前記プラスチックはフッ化アシル官能基で表面処理されたポリプロピレンである、請求項４８に記載の方法。
【請求項５１】前記試薬または前記生体高分子ターゲットは、フッ化アシル官能基側鎖を含むプラスチックディスクの表面にプリントされ、該ディスクは前記マイクロプレートのウェルの底に挿入され、前記未修飾試薬または未修飾生体高分子ターゲットと結合した固形支持体を形成する、請求項２８に記載の方法。
【請求項５２】同じまたは異なる未修飾試薬か、前記生体高分子ターゲットかを前記平らな素子の異なる隔離された領域に結合してアレイを形成する、請求項４８に記載の方法。
【請求項５３】少なくとも１ないし約１５３６個の未修飾試薬または生体高分子を平らな素子の少なくとも１ないし約１５３６箇所別々の隔離された領域に結合する、請求項４８に記載の方法。
【請求項５４】前記平らな素子はマイクロプレートで、前記隔離された領域は該マイクロプレートのウェルである、請求項５３に記載の方法。
【請求項５５】複数の未修飾生体高分子と固形支持体を含む素子であって、該固形支持体はフッ化アシル官能基側鎖を含む少なくとも１つの表面を有し、該フッ化アシル官能基側鎖との反応により前記生体高分子は前記固形支持体と結合する素子。
【請求項５６】前記生体高分子は、核酸、ポリペプチド、タンパク質、糖質、脂質およびこれらの類似体からなるグループから選択される、請求項５５に記載の素子。
【請求項５７】前記生体高分子は、ポリヌクレオチド、プロテインＡ、抗体またはストレプトアビジンからなるグループから選択される、請求項５５に記載の素子。
【請求項５８】前記生体高分子はポリヌクレオチドである、請求項５５に記載の素子。
【請求項５９】前記オリゴヌクレオチドは、合成オリゴヌクレオチド、増幅されたＤＮＡ、ｃＤＮＡ、１本鎖ＤＮＡ、２本鎖ＤＮＡ、ＰＮＡ、ＲＮＡまたはｍＲＮＡからなるグループから選択される、請求項５８に記載の素子。
【請求項６０】前記生体高分子は同じものでも異なるものでもよい、請求項５５に記載の素子。
【請求項６１】前記固形支持体は、ポリマー材料、ガラス、セラミック、天然繊維、シリコン、金属およびこれらの複合材料である、請求項５５に記載の素子。
【請求項６２】前記固形支持体は、エチレンアクリル酸、エチレンメタルリル酸、カルボキシ化ＰＶＤＦ、カルボキシ化ポリプロピレンまたはカルボキシ化ポリエチレンおよびこれらのコポリマーからなるグループから選択されるポリマー材料である、請求項５５に記載の素子。
【請求項６３】前記固形支持体の形状は、糸、シート、フィルム、ゲル、膜、ビーズ、板およびこれらに類する構造である、請求項５５に記載の素子。
【請求項６４】前記固形支持体は、ウェルか、槽か、台か、疎水性または親水性のパッチか、打ち抜き接着性貯留部か、その他の液体の流れの物理的な障壁かの形状をした隔離された領域を有する平らな素子の形状をしたプラスチックで作製される、請求項５５に記載の素子。
【請求項６５】前記固形支持体はマイクロプレートである、請求項６４に記載の素子。
【請求項６６】前記プラスチックはフッ化アシル官能基で表面処理されている、請求項６４に記載の素子。
【請求項６７】前記プラスチックは、ポリプロピレン、ポリスチレン、ポリスルホン、ポリエチレンおよびこれらのコポリマーからなるグループから選択される、請求項６６に記載の素子。
【請求項６８】前記生体高分子は異なる隔離された領域に結合してアレイを形成し、該生体高分子は同じものでも異なるものでもよい、請求項６４に記載の素子。
【請求項６９】前記素子は、（ａ）複数の未修飾生体高分子を用意すること、（ｂ）フッ化アシル官能基側鎖を含む少なくとも１つの表面を揺する固形支持体を用意すること、（ｃ）前記複数の未修飾生体高分子のそれぞれが前記固形支持体と該固形支持体の別々の場所で結合することができる条件下で、前記複数の生体高分子と前記固形支持体を接触することを含む方法により調製される、請求項５５に記載の素子。
【請求項７０】前記固形支持体は複数の隔離された場所を有し、前記生体高分子は前記固形支持体とそれぞれの隔離された場所で結合する、請求項６９に記載の素子。
【請求項７１】前記生体高分子は同じものまたは異なるものである、請求項７１に記載の素子。